(57)【要約】【課題】  小動物ペットの遺体を火葬する前の葬儀を行うに際し、遺体を載せておく籠体において、その外見上の体裁良好性と同時に華麗さとを向上する。【解決手段】  壁面一部を上方に向けて狭め湾曲合体した先端側を内側に湾曲したカール部分１０に、上側開口部分を覆うカバー部材８を吊掛可能とした略スワン籠状の第１の遺体収容籠体２と、開口側縁枠部３Ａの対称位置に取っ手を有し、第１の遺体収容籠体２に収容可能とした第２の遺体収容籠体３と、第２の遺体収容籠体３の内底部に敷設する遺体載置用のクッション部材６と、遺体を包皮するカバー体７とを備える。また、遺体収容籠体（２，３）の底部を載架す下側環状枠部４Ａと、遺体収容籠体（２，３）の周壁面を嵌装保持する上側環状枠部４Ｂとを、四隅に配した脚部４Ｃを介して上下に並設して成る籠台４を備える。【選択図】      図１
0003109029.tif 000002
【実用新案登録請求の範囲】
【請求項１】
ペットの遺体を載せて葬儀を行うのに使用され、火葬場にて焼却可能な部材によって形成されたペット用葬儀装置であって、籠本体の開口側縁枠部の対称位置に取っ手を有して成る遺体収容籠体と、遺体収容籠体の内底部に敷設される遺体載置用のクッション部材とを備えて成ることを特徴とするペット用葬儀装置。
【請求項２】
ペットの遺体を載せて葬儀を行うのに使用され、火葬場にて焼却可能な部材によって形成されたペット用葬儀装置であって、籠本体の壁面一部を上方に向けて次第に狭まるように湾曲させてから合体した先端側を内側に湾曲させて形成したカール部分に、籠本体の上側開口部分を上側から覆うカバー部材を吊掛可能とした略スワン籠状の遺体収容籠体と、遺体収容籠体の内底部に敷設される遺体載置用のクッション部材とを備えて成ることを特徴とするペット用葬儀装置。
【請求項３】
ペットの遺体を載せて葬儀を行うのに使用され、火葬場にて焼却可能な部材によって形成されたペット用葬儀装置であって、籠本体の壁面一部を上方に向けて次第に狭まるように湾曲させてから合体した先端側を内側に湾曲させて形成したカール部分に、籠本体の上側開口部分を上側から覆うカバー部材を吊掛可能とした略スワン籠状の第１の遺体収容籠体と、籠本体の開口側縁枠部の対称位置に取っ手を有し、前記第１の遺体収容籠体に収容可能にして成る第２あるいは第３の遺体収容籠体と、第２あるいは第３の遺体収容籠体の内底部に敷設される遺体載置用のクッション部材とを備えて成ることを特徴とするペット用葬儀装置。
【請求項４】
遺体収容籠体に収容されている遺体を覆うカバー体を備えた請求項１乃至３のいずれか記載のペット用葬儀装置。
【請求項５】
遺体収容籠体の底部を載架させる下側環状枠部と、遺体収容籠体の周壁面を嵌装保持させる上側環状枠部とを、四隅に配した脚部を介して上下に並設して成る籠台を備えた請求項１乃至４のいずれか記載のペット用葬儀装置。
【請求項６】
生前写真用のフォトフレーム、供え物を載せるよう半円テーブル状の祭壇テーブルを備えた請求項１乃至５のいずれか記載のペット用葬儀装置。
【請求項７】
遺体収容籠体、籠台それぞれは、ラタン材もしくはコーン材によって形成した請求項１乃至６のいずれか記載のペット用葬儀装置。
【考案の詳細な説明】
【技術分野】
【０００１】
本考案は、犬猫等の小動物ペットの遺体の葬儀に使用されるペット用葬儀装置に関するものである。
【背景技術】
【０００２】
従来、犬猫等の小動物ペットの遺体は、例えばペット専用の火葬場に送り当該遺体を例えば綿布等でくるんだり、合成樹脂製袋に収容したり等して直接に火葬し、その遺骨を骨壺に入れた後、僧侶の読径後に飼い主に引き渡される所謂仏教式によるものがある。
【特許文献１】特になし
【考案の開示】
【考案が解決しようとする課題】
【０００３】
しかしながら、近年、犬猫等の小動物ペットの遺体を火葬する前に、教会等で葬儀を行う場合もしばしば見られるが、このとき遺体を載せておくために体裁が良く且つ華麗であって、しかも火葬場にてこのまま載せた状態で直接焼却できるようなペット用葬儀装置が存在しなかった。
【０００４】
そこで本考案は叙上のような従来存した諸事情に鑑み案出されたもので、犬猫等の小動物ペットの遺体を火葬する前の葬儀を行うに際し、遺体を載せておくための外見上の体裁と同時に華麗さをも向上でき、しかも火葬場にて遺体を載せた状態で直接焼却できるようなペット用葬儀装置を提供することを目的とする。
【課題を解決するための手段】
【０００５】
上述した課題を解決するため、本考案にあっては、その一つは、ペットの遺体を載せて葬儀を行うのに使用され、火葬場にて焼却可能な部材によって形成されたペット用葬儀装置１であって、籠本体の開口側縁枠部３Ａの対称位置に取っ手９を有して成る遺体収容籠体（３，１１）と、遺体収容籠体（３，１１）の内底部に敷設される遺体載置用のクッション部材６とを備えて成るものである。
他の一つは、ペットの遺体を載せて葬儀を行うのに使用され、火葬場にて焼却可能な部材によって形成されたペット用葬儀装置１であって、籠本体の壁面一部を上方に向けて次第に狭まるように湾曲させてから合体した先端側を内側に湾曲させて形成したカール部分１０に、籠本体の上側開口部分を上側から覆うカバー部材８を吊掛可能とした略スワン籠状の遺体収容籠体（２）と、遺体収容籠体（２）の内底部に敷設される遺体載置用のクッション部材６とを備えて成るものとすることができる。
更に他の一つは、ペットの遺体を載せて葬儀を行うのに使用され、火葬場にて焼却可能な部材によって形成されたペット用葬儀装置１であって、籠本体の壁面一部を上方に向けて次第に狭まるように湾曲させてから合体した先端側を内側に湾曲させて形成したカール部分１０に、籠本体の上側開口部分を上側から覆うカバー部材８を吊掛可能とした略スワン籠状の第１の遺体収容籠体２と、籠本体の開口側縁枠部３Ａの対称位置に取っ手９を有し、前記第１の遺体収容籠体２に収容可能にして成る第２あるいは第３の遺体収容籠体３，１１と、第２あるいは第３の遺体収容籠体３，１１の内底部に敷設される遺体載置用のクッション部材６とを備えて成るものとすることができる。
また、遺体収容籠体（２，３，１１）に収容されている遺体を覆うカバー体７を備えたものとすることができる。
遺体収容籠体（２，３，１１）の底部を載架させる下側環状枠部４Ａと、遺体収容籠体（２，３，１１）の周壁面を嵌装保持させる上側環状枠部４Ｂとを、四隅に配した脚部４Ｃを介して上下に並設して成る籠台４を備えたものとすることができる。
生前写真用のフォトフレーム、供え物を載せるよう半円テーブル状の祭壇テーブル５を備えたものとすることができる。
遺体収容籠体（２，３，１１）、籠台４それぞれは、ラタン材もしくはコーン材によって形成したものとすることができる。
【０００６】
以上のように構成された本考案に係るペット用葬儀装置１にあって、第２の遺体収容籠体３は、内部に敷設されたクッション部材６の上に遺体が載せられる。このとき、カバー体７によって遺体の顔部分を隠れない程度に被覆させる。
スワン籠状の第１の遺体収容籠体２は、内部に楕円形バスケット状もしくは長円形バスケット状等の第２あるいは第３の遺体収容籠体３，１１を、取っ手９を手で持った状態で収容させる。また、第１の遺体収容籠体２の上方に突き出されたカール部分１０にカバー部材８を留めリング部材８Ａを介して吊掛させ、このカバー部材８によって第１の遺体収容籠体２の上側開口部分を覆い被せる。
第１の遺体収容籠体２もしくは第２，第３の遺体収容籠体３，１１が載せられる籠台４は、当該遺体収容籠体２，３，１１の底部を下側環状枠部４Ａ上に載架させると同時に、遺体収容籠体２，３，１１の周壁面を上側環状枠部４Ｂに嵌装保持させる。
また、籠台４が置かれている近傍に祭壇テーブル５が設置されるに際し、この祭壇テーブル５の上には、生前写真用の例えばキャビネ判等のフォトフレーム、水入れ等の供え物が載せられる。
ラタン材もしくはコーン材によって形成された遺体収容籠体（２，３，１１）、籠台４それぞれは、祭壇の外見上の華麗さを現出させる。
【考案の効果】
【０００７】
本考案によれば、犬猫等の小動物ペットの遺体を火葬する前の葬儀を行うに際し、遺体を載せておくための外見上の体裁と同時に華麗さをも向上でき、しかも火葬場にて遺体を載せた状態で直接焼却できる。
【０００８】
すなわちこれは、本考案が火葬場にて焼却可能な部材によって形成されたペット用葬儀装置が、籠本体の開口側縁枠部３Ａの対称位置に取っ手９を有して成る遺体収容籠体（３）と、遺体収容籠体（３）の内底部に敷設される遺体載置用のクッション部材６とを備えて成るからであり、外見上の体裁が良く、しかも遺体を遺体収容籠体（３）に収容したまま容易に持ち運ぶことができる。
【０００９】
また、籠本体の壁面一部を上方に向けて次第に狭まるように湾曲させてから合体した先端側を内側に湾曲させて成るカール部分１０に、籠本体の上側開口部分を上側から覆うカバー部材８を吊掛可能とした略スワン籠状の遺体収容籠体（２）と、遺体収容籠体の内底部に敷設される遺体載置用のクッション部材６と、遺体収容籠体（２）に収容されている遺体を包皮するカバー体７とを備えて成るので、スワン籠状の遺体収容籠体（２）によって外見上の体裁が良くなり、しかも華麗さをも向上することができる。
【００１０】
あるいは、籠本体の壁面一部を上方に向けて次第に狭まるように湾曲させてから合体した先端側を内側に湾曲させて成るカール部分１０に、籠本体の上側開口部分を上側から覆うカバー部材８を吊掛可能とした略スワン籠状の第１の遺体収容籠体２と、籠本体の開口側縁枠部３Ａの対称位置に取っ手９を有し、前記第１の遺体収容籠体２に収容可能にして成る第２あるいは第３の遺体収容籠体３，１１と、第２あるいは第３の遺体収容籠体３，１１の内底部に敷設される遺体載置用のクッション部材６とを備えて成るので、スワン籠状の遺体収容籠体２に第２あるいは第３の遺体収容籠体３，１１が収容されることによって外見上の体裁が良くなり、しかも華麗さをも向上することができる。
【００１１】
遺体収容籠体（２，３，１１）の底部を載架させる下側環状枠部４Ａと、遺体収容籠体（２，３，１１）の周壁面を嵌装保持させる上側環状枠部４Ｂとを、四隅に配した脚部４Ｃを介して上下に並設して成る籠台４を備えたので、祭壇の設置条件に見合った外見上、体裁の良い設置が可能となる。
【００１２】
生前写真用のフォトフレーム、供え物を載せるよう半円テーブル状の祭壇テーブル５を備えたので、遺体収容籠体（２，３，１１）に対する外見上の体裁が良くなり、しかも祭壇テーブル５自体の使い勝手も向上する。
【００１３】
遺体収容籠体（２，３，１１）、籠台４それぞれは、ラタン材もしくはコーン材によって形成したので、祭壇における格調の高い遺体収容籠体（２，３，１１）、籠台４の設置が可能となり、華麗さをさらに向上することができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下図面を参照して本考案を実施するための最良の一形態を説明すると、図において示される符号１は、ペットの遺体を載せて葬儀を行うのに使用され、葬儀後には火葬場に持ち運んでこのまま遺体を載せた状態で焼却可能としたペット用葬儀装置である。このペット用葬儀装置１は、図１に示すように、例えばラタンの帯片材を縦横状もしくは斜行状に編組させて形成した略スワン籠状を呈する籠本体から成る第１の遺体収容籠体２と、該第１の遺体収容籠体２に収容可能とし、例えばコーンの帯片材を縦横状もしくは斜行状に編組させて形成した略楕円形バスケット状もしくは長円形バスケット状等を呈する籠本体から成る第２の遺体収容籠体３と、第１の遺体収容籠体２を載置するためのラタン材を使用して成る籠台４と、籠台４の近傍に設置させるラタン材を使用して成る祭壇テーブル５とを備えている。
【００１６】
尚、第１の遺体収容籠体２をラタン材によって形成し、第２の遺体収容籠体３をコーン材によって形成してあるも、これによって本考案を何等限定するものではなく、第１の遺体収容籠体２をコーン材によって形成し、第２の遺体収容籠体３をラタン材によって形成しても良く、しかも火葬場での燃焼時に有毒ガス等の公害を生じるものでなければラタン材、コーン材以外のどのような材質のものであっても良い。
【００１７】
図３に示すように、第２の遺体収容籠体３の内底部には、当該内底部の楕円形もしくは長円形等に合致対応して形成された厚み約３０〜４０ｍｍ程度の遺体載置用のクッション部材６が敷設されるものとし、開口側縁枠部３Ａの対称位置、例えば左右対称の２箇所場合によっては４個所には帯紐材による取っ手９が、当該帯紐材の両端を第２の遺体収容籠体３の外壁面に固定することで略Ｕ字形環状となるようにして取り付けてある。また、第２の遺体収容籠体３に収容されている遺体を覆うために、例えば図４、図５に示すように、ジャガード生地等を楕円形もしくは四角形等に裁断加工し、略中央には天使の羽根形態のキルテイング様の装飾部７Ａを縫製して成るカバー体７を備えてある。
【００１８】
第１の遺体収容籠体２は、壁面一部を上方に向けて次第に狭まるように湾曲させてから合体した先端側をさらに内側に向けて小さく湾曲させてカール部分１０を形成させることで当該カール部分１０に、第１の遺体収容籠体２の上側開口部分を覆うための例えばレース生地製のカバー部材８を吊掛可能とした略スワン籠状に形成されている。
【００１９】
具体的には、図２に示すように、ラタンの帯片材を縦横状もしくは斜行状に編組させて第１の遺体収容籠体２を構成するに際し、編組縁部を構成する開口側縁枠部２Ａ材を略Ｕ字形に湾曲させ、その両端を上方に向けて互いが次第に狭まるように大きく湾曲させてから合体させると共に、この合体した開口側縁枠部２Ａ材同士を内側に向けて小さく湾曲させてカール部分１０を形成させることで、当該カール部分１０に対して引っ掛けられる例えば留めリング部材８Ａを介して、第１の遺体収容籠体２の上側開口部分全体を上側から覆うためのカバー部材８を吊掛可能としてある。
【００２０】
また、図８、図９に示すように、第１の遺体収容籠体２は、例えば木製の棒材にラタンの帯材を巻装して成るラタン製棒枠材によって形成された籠台４に載せられるようにしてある。すなわち、この籠台４は、第１の遺体収容籠体２の底部を載架させる程度の大きさの環状に形成された下側環状枠部４Ａと、第１の遺体収容籠体２の周壁面を嵌装保持させる程度の大きさの環状に形成された上側環状枠部４Ｂとを、四隅に配した脚部４Ｃそれぞれの上側で上下並設状に固定して形成されている。この籠台４の脚部４Ｃの長さは、例えば４７０ｍｍの短尺タイプのものと、例えば７００ｍｍの長尺タイプのものとがあり、祭壇の設置条件に合わせて適宜選択されるものとしてある。
【００２１】
尚、本実施の形態では、籠台４に第１の遺体収容籠体２を載せてから、第１の遺体収容籠体２内に第２の遺体収容籠体３を収容させているものとしてあるが、これに限らず、第２の遺体収容籠体３を使用せずに籠台４に第１の遺体収容籠体２を載せてから内底部にクッション部材６を入れただけで使用したり、あるいは第１の遺体収容籠体２を使用せずに籠台４に第２の遺体収容籠体３を載せてから内底部にクッション部材６を入れただけで使用したりしても良い。
【００２２】
更に、図１０には第３の遺体収容籠体１１が示されており、この第３の遺体収容籠体１１は、楕円形バスケット状もしくは長円形バスケット状の籠本体内に、開口縁に絞り紐材１３が挿通されていることで、巾着状に窄めて閉塞できる開口部を有する収容袋１２を配装したものである。そして、この収容袋１２底部は第３の遺体収容籠体１１の内底部にしっくりと当接され、収容袋１２自体の底部にはクッション部材６が敷装されるようにしてある。また、この実施の形態における第３の遺体収容籠体１１には運搬・携行が容易となるように取っ手９が付設されている。尚、この第３の遺体収容籠体１１における籠本体は第１、第２の遺体収容籠体２，３と同効材にて形成されるものであり、第３の遺体収容籠体１１自体は、これ自体でも単独で使用可能であり、また第１の遺体収容籠体２、籠台４等と適宜に組合せて使用可能ともなっている。
【００２３】
また、図１１に示すように、籠台４が置かれている近傍には、生前写真用の例えばキャビネ判等のフォトフレーム、水入れ等の供え物を載せるための半円形テーブル状の祭壇テーブル５が設置されるようにしてある。具体的には、祭壇テーブル５は、例えば鉄棒等の両端を円弧状に大きく湾曲してから先端をカールさせて成る古び仕上げの例えば５本の脚部５Ａのカール箇所が互いに放射方向に向くような状態で配置させ、当該脚部５Ａの中央部分同士を結束すべくラタンの帯材でもって若干胴部が膨らむような状態に巻装してある。そして、脚部５Ａ上側のカール箇所には半円形環状の鉄製の棒材にラタンの帯材を巻装して成るラタン製棒枠材５Ｃを固定し、この開口部分に半円形状のガラス板製の天板５Ｂを嵌め込んだものとしてある。
【００２４】
次に、上記した構成によるペット用葬儀装置１の使用方法の一例について説明すれば、先ず、籠台４の上側環状枠部４Ｂ、下側環状枠部４Ａそれぞれに嵌め入れるようにしてスワン籠状の第１の遺体収容籠体２を載せる。このとき、第１の遺体収容籠体２の底部を下側環状枠部４Ａ上に載架させると同時に、第１の遺体収容籠体２の周壁面を上側環状枠部４Ｂに嵌装保持させる。
【００２５】
この第１の遺体収容籠体２内に楕円形バスケット状もしくは長円形バスケット状等の第２あるいは第３の遺体収容籠体３，１１を収容させる。そして、第２の遺体収容籠体３等内にクッション部材６を敷設して、この上に遺体を載せてから顔が隠れない程度に例えば折り返し状にしたカバー体７で覆う。このとき、カバー体７の装飾部７Ａが顔側に寄る程度に遺体をくるむようにする。
【００２６】
第１の遺体収容籠体２の上方に突き出されているカール部分１０にカバー部材８を留めリング部材８Ａを介して吊掛し、このカバー部材８によって第１の遺体収容籠体２の上側開口部分を覆う。
【００２７】
また、籠台４が置かれている近傍には祭壇テーブル５を設置する。この祭壇テーブル５の上には、生前写真用の例えばキャビネ判等のフォトフレーム、水入れ等の供え物を載せる。
【００２８】
第２あるいは第３の遺体収容籠体３，１１を使用しない場合には、籠台４に第１の遺体収容籠体２を載せてから内底部にクッション部材６を敷設して、この上に遺体を載せてから顔が隠れない程度に例えば折り返し状にしたカバー体７で覆った後、第１の遺体収容籠体２の上方に突き出されたカール部分１０にカバー部材８を留めリング部材８Ａを介して吊掛し、このカバー部材８によって第１の遺体収容籠体２の上側開口部分を覆う。
【００２９】
第１の遺体収容籠体２を使用しない場合には、籠台４に第２あるいは第３の遺体収容籠体３，１１を載せてから内底部にクッション部材６を敷設して、この上に遺体を載せてから顔が隠れない程度にカバー体７で覆う。
【図面の簡単な説明】
【００３０】
【図１】本考案を実施するための最良の形態を示す使用状態の斜視図である。
【図２】同じく第１の遺体収容籠体の一例を示すもので、（ａ）は右側面図、（ｂ）は平面図、（ｃ）は正面図である。
【図３】同じく第２の遺体収容籠体の一例を示すもので、（ａ）はクッション部材を載せる状態を示す分解斜視図、（ｂ）はクッション部材を載せた状態を示す斜視図である。
【図４】同じくカバー体の一例を示し、楕円形と四角形に裁断した両カバー体を簡略のために重ねて表した状態の平面図である。
【図５】同じくカバー体を使用した状態を示す斜視図である。
【図６】同じくクッション部材を敷設した第２の遺体収容籠体を第１の遺体収容籠体内に収容した状態を示す右側面図である。
【図７】同じくクッション部材を敷設した第１の遺体収容籠体を示す右側面図である。
【図８】同じく籠台の一例を示し、（ａ）は短尺タイプの籠台の右側面図、（ｂ）は長尺タイプの籠台の右側面図である。
【図９】同じく籠台に第１の遺体収容籠体を載せた状態を示し、（ａ）は短尺タイプの籠台を使用した状態の右側面図、（ｂ）は長尺タイプの籠台を使用した状態の右側面図である。
【図１０】同じく第３の遺体収容籠体の一例の斜視図である。
【図１１】同じく祭壇テーブルの使用状態を示す斜視図である。
【符号の説明】
【００３１】
１…ペット用葬儀装置                    ２…第１の遺体収容籠体
２Ａ…開口側縁枠部                      ３…第２の遺体収容籠体
３Ａ…開口側縁枠部                      ４…籠台
４Ａ…下側環状枠部                      ４Ｂ…上側環状枠部
４Ｃ…脚部                              ５…祭壇テーブル
５Ａ…脚部                              ５Ｂ…天板
５Ｃ…ラタン製棒枠材                    ６…クッション部材
７…カバー体                            ７Ａ…装飾部
８…カバー部材                          ８Ａ…留めリング部材
９…取っ手                              １０…カール部分
１１…第３の遺体収容籠体                １２…収容袋
１３…絞り紐材
【図１】
0003109029.tif 000003
【図２】
0003109029.tif 000004
【図３】
0003109029.tif 000005
【図４】
0003109029.tif 000006
【図５】
0003109029.tif 000007
【図６】
0003109029.tif 000008
【図７】
0003109029.tif 000009
【図８】
0003109029.tif 000010
【図９】
0003109029.tif 000011
【図１０】
0003109029.tif 000012
【図１１】
0003109029.tif 000013